(57)【要約】【課題】放射線の照射により放射線画像を記録する放射線画像記録媒体に記録された放射線画像を電気的な画像信号として読み取り、画像信号に画像処理を施す複数の放射線画像記録媒体カセッテと、その画像処理の画像処理パラメータを記憶する画像処理パラメータ管理装置とを備えた画像処理パラメータ管理システムにおいて、容易に各放射線画像記録媒体カセッテの画像処理条件を設定、変更する。【解決手段】画像処理パラメータ管理装置２０おいて複数の放射線画像記録媒体カセッテ１０で使用される撮影メニュー情報に応じた標準画像処理パラメータを記憶し、上記放射線画像記録媒体カセッテ１０で画像信号に画像処理が施される際に、上記標準画像処理パラメータをその放射線画像記録媒体カセッテ１０に出力する。【選択図】　　　　　図１
2004121385.tif 000002
【特許請求の範囲】
【請求項１】
放射線の照射により放射線画像を記録する放射線画像記録媒体と、該放射線画像記録媒体に記録された放射線画像を電気的な画像信号として読み取る読取部と、前記放射線画像記録媒体および前記読取部が収納されたケース部と、前記読取部により読み出された画像信号に画像処理を施す画像処理手段とを備えた放射線画像記録媒体カセッテにおいて、
前記画像処理手段が前記画像信号に画像処理を施す際に、複数の前記放射線画像記録媒体カセッテで使用される標準画像処理パラメータが記憶された画像処理パラメータ管理装置から出力された前記標準画像処理パラメータを受け付けるパラメータ受付手段を有し、
前記画像処理手段が、前記パラメータ受付手段により受け付けられた前記標準画像処理パラメータに基づいて前記画像信号に画像処理を施すものであることを特徴とする放射線画像記録媒体カセッテ。
【請求項２】
前記パラメータ受付手段が、撮影メニュー情報に応じた前記標準画像処理パラメータが記憶された前記画像処理パラメータ管理装置から出力された前記撮影メニュー情報に応じた標準画像処理パラメータを受け付けるものであり、
前記画像処理手段が、前記パラメータ受付手段により受け付けられた前記撮影メニュー情報に応じた標準画像処理パラメータに基づいて前記画像信号に画像処理を施すものであることを特徴とする請求項１記載の放射線画像記録媒体カセッテ。
【請求項３】
前記パラメータ受付手段が、前記撮影メニューに応じた標準画像処理パラメータとともに、前記複数の放射線画像記録媒体カセッテ毎に設定されたカセッテ識別情報および撮影メニュー情報に応じた個別画像処理パラメータを記憶する前記画像処理パラメータ管理装置から出力された前記撮影メニュー情報に応じた標準画像処理パラメータまたは前記個別画像処理パラメータを受け付けるものであり、
前記画像処理手段が、前記パラメータ受付手段により受け付けられた前記撮影メニュー情報に応じた標準画像処理パラメータまたは前記個別画像処理パラメータに基づいて前記画像信号に画像処理を施すものであることを特徴とする請求項２記載の放射線画像記録媒体カセッテ。
【請求項４】
前記複数の放射線画像記録媒体毎に個別に設定された撮影メニュー情報に応じた個別画像処理パラメータを記憶する個別パラメータ記憶手段と、
撮影メニュー情報を受け付けるカセッテ撮影メニュー受付手段と、
該カセッテ撮影メニュー受付手段により受け付けられた撮影メニュー情報に応じた個別画像処理パラメータが前記個別パラメータ記憶手段に記憶されているか否かを検索するパラメータ検索手段とを有し、
前記画像処理手段が、前記パラメータ検索手段により前記撮影メニューに応じた個別画像処理パラメータが検出された場合には、該個別画像処理パラメータに基づいて前記画像信号に画像処理を施し、
前記パラメータ検索手段により前記撮影メニューに応じた個別画像処理パラメータが検出されなかった場合には、前記画像処理パラメータ管理装置から出力された前記撮影メニューに応じた標準画像処理パラメータに基づいて前記画像信号に画像処理を施すものであることを特徴とする請求項２記載の放射線画像記録媒体カセッテ。
【請求項５】
前記カセッテ識別情報を前記画像処理パラメータ管理装置に出力する識別情報出力手段を有し、
前記パラメータ受付手段が、前記識別情報出力手段から出力されたカセッテ識別情報に基づいて前記画像処理パラメータ管理装置から前記カセッテ識別情報に応じた放射線画像記録媒体に出力された画像処理パラメータを受け付けるものであることを特徴とする請求項１から４いずれか１項記載の放射線画像記録媒体カセッテ。
【請求項６】
撮影メニュー情報を受け付け、該撮影メニュー情報を前記画像処理パラメータ管理装置に出力する撮影メニュー送信手段を有するものであることを特徴とする請求項２から５いずれか１項記載の放射線画像記録媒体カセッテ。
【請求項７】
放射線画像を担持する放射線の照射により前記放射線画像を記録する放射線画像記録媒体を有し、該放射線画像記録媒体に記録された放射線画像を電気的な画像信号として読み取り、該読み出された前記画像信号に画像処理を施す放射線画像記録媒体カセッテで使用される前記画像処理の画像処理パラメータであって、複数の前記放射線画像記録媒体カセッテで使用される標準画像処理パラメータを記憶する画像処理パラメータ記憶手段を有し、
前記放射線画像記録媒体カセッテにおいて前記画像信号に画像処理が施される際に、前記画像処理パラメータ記憶手段に記憶された標準画像処理パラメータを前記放射線画像記録媒体カセッテに出力するものであることを特徴とする画像処理パラメータ管理装置。
【請求項８】
前記複数の放射線画像記録媒体カセッテ毎に設定されたカセッテ識別情報を受け付けるカセッテ識別手段を有し、
該カセッテ識別手段により受け付けられたカセッテ識別情報に応じた放射線画像記録媒体カセッテに前記標準画像処理パラメータを出力するものであることを特徴とする請求項７記載の画像処理パラメータ管理装置。
【請求項９】
前記画像処理パラメータ記憶手段が、撮影メニュー情報に応じた前記標準画像処理パラメータを記憶するものであり、
前記撮影メニュー情報を受け付ける撮影メニュー受付手段を有し、
該撮影メニュー受付手段により受け付けられた撮影メニュー情報に応じた標準画像処理パラメータを前記画像処理パラメータ記憶手段から前記放射線画像記録媒体カセッテに出力するものであることを特徴とする請求項７記載の画像処理パラメータ管理装置。
【請求項１０】
前記複数の放射線画像記録媒体カセッテ毎に設定されたカセッテ識別情報を受け付けるカセッテ識別手段を有し、
該カセッテ識別手段により受け付けられたカセッテ識別情報に応じた放射線画像記録媒体カセッテに前記撮影メニュー情報に応じた標準画像処理パラメータを出力するものであることを特徴とする請求項９記載の画像処理パラメータ管理装置。
【請求項１１】
前記画像処理パラメータ記憶手段が、前記撮影メニュー情報に応じた標準画像処理パラメータとともに、カセッテ識別情報および撮影メニュー情報に応じた個別画像処理パラメータを記憶するものであり、
前記カセッテ識別手段により受け付けられたカセッテ識別情報および前記撮影メニュー受付手段により受け付けられた撮影メニュー情報に応じた個別画像処理パラメータを記憶している場合には、該個別画像処理パラメータを前記カセッテ識別情報に応じた放射線画像記録媒体カセッテに出力し、
前記カセッテ識別情報および撮影メニューに応じた個別画像処理パラメータを記憶していない場合には、前記撮影メニューに応じた標準画像処理パラメータを前記カセッテ識別情報に応じた放射線画像記録媒体カセッテに出力するものであることを特徴とする請求項１０記載の画像処理パラメータ管理装置。
【請求項１２】
放射線画像を担持する放射線の照射により前記放射線画像を記録する放射線画像記録媒体を有し、該放射線画像記録媒体に記録された放射線画像を電気的な画像信号として読み取り、該読み出された前記画像信号に画像処理を施す複数の放射線画像記録媒体カセッテと、該複数の放射線画像記録媒体カセッテにおける前記画像処理の画像処理パラメータを記憶する画像処理パラメータ管理装置とを備えた画像処理パラメータ管理システムにおいて、
前記画像処理パラメータ管理装置が、前記複数の放射線画像記録媒体カセッテで使用される標準画像処理パラメータを記憶し、前記放射線画像記録媒体カセッテにおいて前記画像信号に画像処理が施される際に、前記標準画像処理パラメータを前記放射線画像記録媒体カセッテに出力するものであり、
前記放射線画像記録媒体カセッテが、前記出力された標準画像処理パラメータに基づいて前記画像信号に画像処理を施すものであることを特徴とする画像処理パラメータ管理システム。
【請求項１３】
前記画像処理パラメータ管理装置が、前記複数の放射線画像記録媒体カセッテ毎に設定されたカセッテ識別情報を受け付けるカセッテ識別手段を有し、
該カセッテ識別手段により受け付けられたカセッテ識別情報に応じた放射線画像記録媒体カセッテに前記撮影メニュー情報に応じた標準画像処理パラメータを出力することを特徴とする請求項１２記載の画像処理パラメータ管理システム。
【請求項１４】
前記画像処理パラメータ管理装置が、撮影メニュー情報に応じた前記標準画像処理パラメータを記憶するものであり、
前記撮影メニュー情報を受け付ける撮影メニュー受付手段を有し、
該撮影メニュー受付手段により受け付けられた撮影メニュー情報に応じた標準画像処理パラメータを前記複数の放射線画像記録媒体カセッテに出力するものであることを特徴とする請求項１２記載の画像処理パラメータ管理システム。
【請求項１５】
前記画像処理パラメータ管理装置が、前記複数の放射線画像記録媒体カセッテ毎に設定されたカセッテ識別情報を受け付けるカセッテ識別手段を有し、
該カセッテ識別手段により受け付けられたカセッテ識別情報に応じた放射線画像記録媒体カセッテに前記撮影メニュー情報に応じた標準画像処理パラメータを出力することを特徴とする請求項１４記載の画像処理パラメータ管理システム。
【請求項１６】
前記画像処理パラメータ管理装置が、前記撮影メニュー情報に応じた標準画像処理パラメータとともに、カセッテ識別情報および撮影メニュー情報に応じた個別画像処理パラメータを記憶するものであり、
前記カセッテ識別手段により受け付けられたカセッテ識別情報および前記撮影メニュー受付手段により受け付けられた撮影メニュー情報に応じた個別画像処理パラメータを記憶している場合には、該個別画像処理パラメータを前記カセッテ識別情報に応じた放射線画像記録媒体カセッテに出力し、
前記識別情報および撮影メニューに応じた個別画像処理パラメータを記憶してない場合には、前記撮影メニューに応じた標準画像処理パラメータを前記受け付けられたカセッテ識別情報に応じた放射線画像記録媒体カセッテに出力するものであり、
前記カセッテ識別情報に応じた放射線画像記録媒体カセッテが、前記画像処理パラメータ管理装置から出力された画像処理パラメータに基づいて前記画像信号に画像処理を施すものであることを特徴とする請求項１５記載の画像処理パラメータ管理システム。
【請求項１７】
前記放射線画像記録媒体カセッテが、前記複数の放射線画像記録媒体毎に個別に設定された撮影メニュー情報に応じた個別画像処理パラメータを記憶する個別パラメータ記憶手段と、
撮影メニュー情報を受け付けるカセッテ撮影メニュー受付手段と、
該カセッテ撮影メニュー受付手段により受け付けられた撮影メニュー情報に応じた個別画像処理パラメータが前記個別パラメータ記憶手段に記憶されているか否かを検索するパラメータ検索手段とを有し、
該パラメータ検索手段により前記撮影メニューに応じた個別画像処理パラメータが検出された場合には、該個別画像処理パラメータに基づいて前記画像信号に画像処理を施し、
前記パラメータ検索手段により前記撮影メニューに応じた個別画像処理パラメータが検出されなかった場合には、前記画像処理パラメータ管理装置から出力された前記撮影メニューに応じた標準画像処理パラメータに基づいて前記画像信号に画像処理を施すものであることを特徴とする請求項１４または１５記載の画像処理パラメータ管理システム。
【発明の詳細な説明】
【０００１】
【発明の属する技術分野】
本発明は、放射線の照射により放射線画像を記録する放射線画像記録媒体とその放射線画像を電気的な画像信号として読み取る読取部とが収納され、読み取られた画像信号に画像処理を施す放射線画像記録媒体カセッテ、およびその画像処理において使用される画像処理パラメータを記憶する画像処理パラメータ管理装置、並びに上記放射線画像記録媒体カセッテと上記画像処理パラメータ管理装置とから構成される画像処理パラメータ管理システムに関するものである。
【０００２】
【従来の技術】
従来より、医療分野などにおいて、被写体を透過した放射線の照射により被写体に関する放射線画像を記録する放射線画像記録媒体が各種提案、実用化されている。
【０００３】
上記のような放射線画像記録媒体として、本願出願人は、特許文献１において、読出しの高速応答性と効率的な信号電荷の取出しを両立させることを可能ならしめる放射線画像記録媒体を提案している。この特許文献１には、記録用の放射線を透過する第１の電極層、放射線の照射を受けることにより導電性を呈する記録用光導電層、潜像電荷に対しては略絶縁体として作用し、かつ潜像電荷と逆極性の輸送電荷に対しては略導電体として作用する電荷輸送層、読取用の電磁波の照射を受けることにより導電性を呈する読取用光導電層、および読取用の電磁波を透過する第２の電極層をこの順に積層してなる放射線画像記録媒体が提案されている。上記放射線画像記録媒体は、第１の電極層側から記録用の放射線が照射され、照射された放射線の線量に応じた量の電荷が記録用光導電層と電荷輸送層との略界面に形成される蓄電部に蓄積されることにより、放射線画像情報を記録するものである。上記放射線画像記録媒体に記録された放射線画像情報は、スポット光あるいはライン光で放射線画像記録媒体を走査することにより読み出される。
【０００４】
また、上記のような放射線画像記録媒体と該放射線画像記録媒体から画像信号を読み取る読取部とがケースに収容され、さらに上記画像信号に所定画像処理を施す画像処理手段が設けられた放射線画像記録媒体カセッテも提案されている（たとえば、特許文献２参照）。
【０００５】
また、放射線画像記録媒体としては、支持体上に蓄積性蛍光体を積層した蓄積性蛍光体シートがあり、被写体を透過した放射線を照射することにより、放射線画像を蓄積記録することができる。蓄積性蛍光体シートに記録された放射線画像は、レーザ光などの励起光を照射により輝尽発光光を生じさせ、この輝尽発光光を光電変換することにより画像信号として読み取られる（たとえば、特許文献３参照）。
【０００６】
また、上記ような蓄積性蛍光体シートについても、蓄積性蛍光体シートと蓄積性蛍光体シートから画像信号を読み取る読取部とがケースに収納された放射線画像記録媒体カセッテの開発が進んでいる。
【０００７】
また、上記のような放射線画像記録媒体カセッテにおいて読み出された画像信号には種々の画像処理が施されるが、たとえば、撮影方法や撮影部位などを示す情報である撮影メニュー情報に応じて画像処理条件を変更する技術が特許文献４に記載されている。
【０００８】
ここで、医療施設などにおいては、上記のような放射線画像記録媒体カセッテが複数使用されることが多い。そして、複数の放射線画像記録媒体カセッテにおける画像処理で使用される画像処理パラメータは、医療施設毎の好みに応じて施設内で一括して変更されることが多い。また、ソフトウェアのバージョンアップなどによって一括して変更されることもある。
【０００９】
【特許文献１】
特開平２０００−１０５２９７号公報
【００１０】
【特許文献２】
特開平２０００−２７５３５０号公報
【００１１】
【特許文献３】
特開平１−１０１５４０１号公報
【００１２】
【特許文献４】
特開昭５９−２８１４４号公報
【００１３】
【発明が解決しようとする課題】
しかしながら、上記のような放射線画像記録媒体カセッテにおいて、画像処理パラメータを変更するには各放射線画像記録媒体カセッテに記憶されている画像処理パラメータテーブルを変更する必要があり、通常、医療施設内では多数の放射線画像記録媒体カセッテを保有しており、上記のような変更を１つ１つの放射線画像記録媒体カセッテに対して行うのは非常に面倒であり、人為的な設定漏れや設定ミスを生じる可能性も高くなる。
【００１４】
また、特に、上記のようなカセッテ形態の場合、様々な場所に持ち運んで使用するものであるので、画像処理パラメータを変更する際に放射線画像記録媒体カセッテが所定の場所に収納されていないことが多く、上記のような画像処理パラメータの変更を行うのに労力を要する。
【００１５】
本発明は、上記のような事情に鑑み、多数の放射線画像記録媒体カセッテを使用する場合においても容易に各放射線画像記録媒体カセッテの画像処理条件を設定、変更することができる放射線画像記録媒体カセッテおよび画像処理パラメータ管理装置並びに画像処理パラメータ管理システムを提供することを目的とするものである。
【００１６】
【課題を解決するための手段】
本発明の放射線画像記録媒体カセッテは、放射線の照射により放射線画像を記録する放射線画像記録媒体と、放射線画像記録媒体に記録された放射線画像を電気的な画像信号として読み取る読取部と、放射線画像記録媒体および読取部が収納されたケース部と、読取部により読み出された画像信号に画像処理を施す画像処理手段とを備えた放射線画像記録媒体カセッテにおいて、画像処理手段が画像信号に画像処理を施す際に、複数の放射線画像記録媒体カセッテで使用される標準画像処理パラメータが記憶された画像処理パラメータ管理装置から出力された標準画像処理パラメータを受け付けるパラメータ受付手段を有し、画像処理手段が、パラメータ受付手段により受け付けられた標準画像処理パラメータに基づいて画像信号に画像処理を施すものであることを特徴とする。
【００１７】
ここで、上記「放射線画像記録媒体」および上記「読取部」は、照射された放射線を電気的な画像信号に変換するものであればよく、その種類、構成、方式などは問わない。たとえば、放射線画像記録媒体に読取光を照射することにより放射線画像を電気的な画像信号として読み取る方式のように、上記「放射線画像記録媒体」と読取光を照射する上記「読取部」とが明確に分かれて構成されている必要はなく、要は上記「放射線画像記録媒体」と上記「読取部」とにより照射された放射線を電気的な画像信号に変換するものであれば如何なる構成でもよい。
【００１８】
また、パラメータ受付手段を、撮影メニュー情報に応じた標準画像処理パラメータが記憶された画像処理パラメータ管理装置から出力された撮影メニュー情報に応じた標準画像処理パラメータを受け付けるものとし、画像処理手段を、パラメータ受付手段により受け付けられた撮影メニュー情報に応じた標準画像処理パラメータに基づいて画像信号に画像処理を施すものとすることができる。
【００１９】
また、パラメータ受付手段を、撮影メニューに応じた標準画像処理パラメータとともに、複数の放射線画像記録媒体カセッテ毎に設定されたカセッテ識別情報および撮影メニュー情報に応じた個別画像処理パラメータを記憶する画像処理パラメータ管理装置から出力された撮影メニュー情報に応じた標準画像処理パラメータまたは個別画像処理パラメータを受け付けるものとし、画像処理手段を、パラメータ受付手段により受け付けられた撮影メニュー情報に応じた標準画像処理パラメータまたは個別画像処理パラメータに基づいて画像信号に画像処理を施すものとすることができる。
【００２０】
また、上記放射線画像記録媒体カセッテにおいて、複数の放射線画像記録媒体毎に個別に設定された撮影メニュー情報に応じた個別画像処理パラメータを記憶する個別パラメータ記憶手段と、撮影メニュー情報を受け付けるカセッテ撮影メニュー受付手段と、カセッテ撮影メニュー受付手段により受け付けられた撮影メニュー情報に応じた個別画像処理パラメータが個別パラメータ記憶手段に記憶されているか否かを検索するパラメータ検索手段とを有するものとし、画像処理手段を、パラメータ検索手段により上記撮影メニューに応じた個別画像処理パラメータが検出された場合には、その個別画像処理パラメータに基づいて画像信号に画像処理を施し、パラメータ検索手段により上記撮影メニューに応じた個別画像処理パラメータが検出されなかった場合には、画像処理パラメータ管理装置から出力された撮影メニューに応じた標準画像処理パラメータに基づいて画像信号に画像処理を施すものとすることができる。
【００２１】
また、カセッテ識別情報を画像処理パラメータ管理装置に出力する識別情報出力手段を有するものとし、パラメータ受付手段を、識別情報出力手段から出力されたカセッテ識別情報に基づいて画像処理パラメータ管理装置からカセッテ識別情報に応じた放射線画像記録媒体に出力された画像処理パラメータを受け付けるものとすることができる。
【００２２】
また、撮影メニュー情報を受け付け、その撮影メニュー情報を画像処理パラメータ管理装置に出力する撮影メニュー送信手段を有するものとすることができる。
【００２３】
本発明の画像処理パラメータ管理装置は、放射線画像を担持する放射線の照射により前記放射線画像を記録する放射線画像記録媒体を有し、放射線画像記録媒体に記録された放射線画像を電気的な画像信号として読み取り、その読み出された画像信号に画像処理を施す放射線画像記録媒体カセッテで使用される画像処理の画像処理パラメータであって、複数の放射線画像記録媒体カセッテで使用される標準画像処理パラメータを記憶する画像処理パラメータ記憶手段を有し、放射線画像記録媒体カセッテにおいて画像信号に画像処理が施される際に、画像処理パラメータ記憶手段に記憶された標準画像処理パラメータを放射線画像記録媒体カセッテに出力するものであることを特徴とする。
【００２４】
また、複数の放射線画像記録媒体カセッテ毎に設定されたカセッテ識別情報を受け付けるカセッテ識別手段を有するものとし、カセッテ識別手段により受け付けられたカセッテ識別情報に応じた放射線画像記録媒体カセッテに標準画像処理パラメータを出力するものとすることができる。
【００２５】
また、画像処理パラメータ記憶手段を、撮影メニュー情報に応じた前記標準画像処理パラメータを記憶するものとし、撮影メニュー情報を受け付ける撮影メニュー受付手段を有するものとし、その撮影メニュー受付手段により受け付けられた撮影メニュー情報に応じた標準画像処理パラメータを画像処理パラメータ記憶手段から前記放射線画像記録媒体カセッテに出力するものとすることができる。
【００２６】
また、複数の放射線画像記録媒体カセッテ毎に設定されたカセッテ識別情報を受け付けるカセッテ識別手段を有するものとし、カセッテ識別手段により受け付けられたカセッテ識別情報に応じた放射線画像記録媒体カセッテに撮影メニュー情報に応じた標準画像処理パラメータを出力するものとすることができる。
【００２７】
また、画像処理パラメータ記憶手段を、撮影メニュー情報に応じた標準画像処理パラメータとともに、カセッテ識別情報および撮影メニュー情報に応じた個別画像処理パラメータを記憶するものとし、カセッテ識別手段により受け付けられたカセッテ識別情報および撮影メニュー受付手段により受け付けられた撮影メニュー情報に応じた個別画像処理パラメータを記憶している場合には、その個別画像処理パラメータを上記カセッテ識別情報に応じた放射線画像記録媒体カセッテに出力し、上記カセッテ識別情報および撮影メニューに応じた個別画像処理パラメータを記憶していない場合には、撮影メニューに応じた標準画像処理パラメータを上記カセッテ識別情報に応じた放射線画像記録媒体カセッテに出力するものとすることができる。
【００２８】
本発明の画像処理パラメータ管理システムは、放射線画像を担持する放射線の照射により放射線画像を記録する放射線画像記録媒体を有し、放射線画像記録媒体に記録された放射線画像を電気的な画像信号として読み取り、その読み出された画像信号に画像処理を施す複数の放射線画像記録媒体カセッテと、複数の放射線画像記録媒体カセッテにおける画像処理の画像処理パラメータを記憶する画像処理パラメータ管理装置とを備えた画像処理パラメータ管理システムにおいて、画像処理パラメータ管理装置が、複数の放射線画像記録媒体カセッテで使用される標準画像処理パラメータを記憶し、放射線画像記録媒体カセッテにおいて画像信号に画像処理が施される際に、標準画像処理パラメータを放射線画像記録媒体カセッテに出力するものであり、放射線画像記録媒体カセッテが、上記出力された標準画像処理パラメータに基づいて画像信号に画像処理を施すものであることを特徴とする。
【００２９】
また、上記画像処理パラメータ管理システムにおいて、画像処理パラメータ管理装置を、複数の放射線画像記録媒体カセッテ毎に設定されたカセッテ識別情報を受け付けるカセッテ識別手段を有するものとし、カセッテ識別手段により受け付けられたカセッテ識別情報に応じた放射線画像記録媒体カセッテに標準画像処理パラメータを出力するものとすることができる。
【００３０】
また、上記画像処理パラメータ管理システムにおいて、画像処理パラメータ管理装置を、撮影メニュー情報に応じた標準画像処理パラメータを記憶するものとし、撮影メニュー情報を受け付ける撮影メニュー受付手段を有するものとし、撮影メニュー受付手段により受け付けられた撮影メニュー情報に応じた標準画像処理パラメータを複数の放射線画像記録媒体カセッテに出力するものとすることができる。
【００３１】
また、上記画像処理パラメータ管理システムにおいて、画像処理パラメータ管理装置を、複数の放射線画像記録媒体カセッテ毎に設定されたカセッテ識別情報を受け付けるカセッテ識別手段を有するものとし、カセッテ識別手段により受け付けられたカセッテ識別情報に応じた放射線画像記録媒体カセッテに撮影メニュー情報に応じた標準画像処理パラメータを出力するものとすることができる。
【００３２】
また、上記画像処理パラメータ管理システムにおいて、画像処理パラメータ管理装置を、撮影メニュー情報に応じた標準画像処理パラメータとともに、カセッテ識別情報および撮影メニュー情報に応じた個別画像処理パラメータを記憶するものとし、カセッテ識別手段により受け付けられたカセッテ識別情報および撮影メニュー受付手段により受け付けられた撮影メニュー情報に応じた個別画像処理パラメータを記憶している場合には、その個別画像処理パラメータを上記カセッテ識別情報に応じた放射線画像記録媒体カセッテに出力し、上記カセッテ識別情報および撮影メニューに応じた個別画像処理パラメータを記憶してない場合には、撮影メニューに応じた標準画像処理パラメータを上記カセッテ識別情報に応じた放射線画像記録媒体カセッテに出力するものとし、カセッテ識別情報に応じた放射線画像記録媒体カセッテを、画像処理パラメータ管理装置から出力された画像処理パラメータに基づいて画像信号に画像処理を施すものとすることができる。
【００３３】
また、上記画像処理パラメータ管理システムにおいて、放射線画像記録媒体カセッテを、複数の放射線画像記録媒体毎に個別に設定された撮影メニュー情報に応じた個別画像処理パラメータを記憶する個別パラメータ記憶手段と、撮影メニュー情報を受け付けるカセッテ撮影メニュー受付手段と、カセッテ撮影メニュー受付手段により受け付けられた撮影メニュー情報に応じた個別画像処理パラメータが個別パラメータ記憶手段に記憶されているか否かを検索するパラメータ検索手段とを有するものとし、パラメータ検索手段により上記撮影メニューに応じた個別画像処理パラメータが検出された場合には、その個別画像処理パラメータに基づいて画像信号に画像処理を施し、パラメータ検索手段により上記撮影メニューに応じた個別画像処理パラメータが検出されなかった場合には、画像処理パラメータ管理装置から出力された撮影メニューに応じた標準画像処理パラメータに基づいて画像信号に画像処理を施すものとすることができる。
【００３４】
ここで、上記「撮影メニュー情報」とは、撮影部位（頭部、胸部、上肢、下肢など）や撮影方法（単純撮影、断層撮影、造影撮影、拡大撮影など）などの少なくとも１つもしくは組み合わせを示す情報である。
【００３５】
また、上記「カセッテ識別情報」とは、複数の放射線画像記録媒体カセッテにおける各放射線画像記録媒体カセッテを識別するものであれば如何なるものでもよい。たとえば、各放射線画像記録媒体カセッテにカセッテ識別情報として番号や文字などを付けるようにすることができる。また、全ての複数の放射線画像記録媒体カセッテのうちの一部の複数の放射線画像記録媒体カセッテについて同じカセッテ識別情報を付けるようにすることもできる。
【００３６】
また、上記「個別画像処理パラメータ」とは、放射線画像記録媒体カセッテ毎に個別に設定された画像処理パラメータであり、たとえば、所定の撮影メニュー情報について、上記標準画像処理パラメータと違った画像処理パラメータを設定し、この画像処理パラメータに基づいて画像処理を施すようにすることにより、各放射線画像記録媒体カセッテについて固有の画像処理を行うようにすることができるものを用いることができる。
【００３７】
【発明の効果】
本発明の放射線画像記録媒体カセッテおよび画像処理パラメータ管理装置並びに画像処理パラメータ管理システムによれば、画像処理パラメータ管理装置おいて、複数の放射線画像記録媒体カセッテで使用される標準画像処理パラメータを記憶し、放射線画像記録媒体カセッテにおいて画像信号に画像処理が施される際に、上記標準画像処理パラメータを放射線画像記録媒体カセッテに出力し、上記放射線画像記録媒体カセッテが、上記出力された標準画像処理パラメータに基づいて画像信号に画像処理を施すようにしたので、多数の放射線画像記録媒体カセッテを使用する場合においても容易に各放射線画像記録媒体カセッテの画像処理パラメータを設定、変更することができる。また、上記多数の放射線画像記録媒体カセッテを様々な場所に持ち運んで使用する場合においても、容易に各放射線画像記録媒体カセッテの画像処理パラメータを設定、変更することができる。
【００３８】
また、上記画像処理パラメータ管理システムにおいて、画像処理パラメータ管理装置を、複数の放射線画像記録媒体カセッテ毎に設定されたカセッテ識別情報を受け付けるカセッテ識別手段を有するものとし、カセッテ識別手段により受け付けられたカセッテ識別情報に応じた放射線画像記録媒体カセッテに標準画像処理パラメータを出力するものとした場合には、指定された放射線画像記録媒体カセッテについての画像処理パラメータの設定、変更も容易に行うことができる。
【００３９】
また、上記画像処理パラメータ管理システムにおいて、画像処理パラメータ管理装置に、撮影メニュー情報に応じた標準画像処理パラメータを記憶し、撮影メニュー受付手段により受け付けられた撮影メニュー情報に応じた標準画像処理パラメータを複数の放射線画像記録媒体カセッテに出力するようにした場合には、撮影条件などに適した画像処理パラメータを容易に設定、変更することができる。
【００４０】
また、上記画像処理パラメータ管理システムにおいて、画像処理パラメータ管理装置に、撮影メニュー情報に応じた標準画像処理パラメータとともに、カセッテ識別情報および撮影メニュー情報に応じた個別画像処理パラメータを記憶し、カセッテ識別手段により受け付けられたカセッテ識別情報および撮影メニュー受付手段により受け付けられた撮影メニュー情報に応じた個別画像処理パラメータを記憶している場合には、その個別画像処理パラメータを上記カセッテ識別情報に応じた放射線画像記録媒体カセッテに出力し、上記カセッテ識別情報および撮影メニューに応じた個別画像処理パラメータを記憶してない場合には、撮影メニューに応じた標準画像処理パラメータを上記カセッテ識別情報に応じた放射線画像記録媒体カセッテに出力し、カセッテ識別情報に応じた放射線画像記録媒体カセッテが、画像処理パラメータ管理装置から出力された画像処理パラメータに基づいて画像信号に画像処理を施すようにした場合には、複数の放射線画像記録媒体カセッテで使用される標準画像処理パラメータだけでなく、各放射線画像記録媒体カセッテで使用される個別画像処理パラメータについても容易に設定、変更することができる。
【００４１】
また、上記画像処理パラメータ管理システムにおいて、放射線画像記録媒体カセッテに、複数の放射線画像記録媒体毎に個別に設定された撮影メニュー情報に応じた個別画像処理パラメータを記憶する個別パラメータ記憶手段と、撮影メニュー情報を受け付けるカセッテ撮影メニュー受付手段と、カセッテ撮影メニュー受付手段により受け付けられた撮影メニュー情報に応じた個別画像処理パラメータが個別パラメータ記憶手段に記憶されているか否かを検索するパラメータ検索手段とを設け、放射線画像記録媒体カセッテが、パラメータ検索手段により上記撮影メニューに応じた個別画像処理パラメータが検出された場合には、その個別画像処理パラメータに基づいて画像信号に画像処理を施し、パラメータ検索手段により上記受け付けられた撮影メニューに応じた個別画像処理パラメータが検出されなかった場合には、画像処理パラメータ管理装置から出力された撮影メニューに応じた標準画像処理パラメータに基づいて画像信号に画像処理を施すようにした場合には、上記と同様に、複数の放射線画像記録媒体カセッテで使用される標準画像処理パラメータだけでなく、各放射線画像記録媒体カセッテで使用される個別画像処理パラメータについても容易に設定、変更することができる。
【００４２】
【発明の実施の形態】
以下、図面を参照して本発明の実施の形態について詳細に説明する。図１は本発明の画像処理パラメータ管理システムの一実施形態の概略構成図である。
【００４３】
本画像処理パラメータ管理システムは、図１に示すように、複数の放射線画像記録媒体カセッテ１０、複数の放射線画像記録媒体カセッテ１０で使用される画像処理の画像処理パラメータを記憶する画像処理パラメータ管理装置２０、放射線画像記録媒体カセッテ１０により放射線画像を撮影した際の患者情報や撮影メニュー情報などの検査情報入力する検査情報入力装置３０、放射線画像記録媒体カセッテ１０から出力された画像信号を記憶する画像ファイリング装置４０、放射線画像記録媒体カセッテ１０から出力された画像信号に基づいてフィルムに放射線画像を記録するフィルム出力装置５０、および放射線画像記録媒体カセッテから出力された画像信号に基づいて可視画像を表示する読影端末６０を備えている。上記複数の放射線画像記録媒体カセッテ１０、画像処理パラメータ管理装置２０、検査情報入力装置３０、画像ファイリング装置４０、フィルム出力装置５０、および読影端末６０はＬＡＮにより接続されている。なお、ＬＡＮは有線でもよい無線でもよい。また、ＬＡＮではなく電話回線などの公衆回線を利用して接続するようにしてもよい。
【００４４】
放射線画像記録媒体カセッテ１０は、図２に示すように、放射線画像記録媒体１１と、内部に放射線記録媒体１１を収容する全体として略直方体のケース１２と、放射線画像記録媒体１１に接続され放射線画像記録媒体１１から読み出された画像信号を記憶する画像メモリ１３と、画像メモリ１３から出力された画像信号に対して撮影メニュー情報に応じた画像処理を施し、処理済画像信号を出力する画像処理手段１４と、撮影メニュー情報を検査情報入力装置から受け取り、該撮影メニュー情報を画像処理パラメータ管理装置２０に出力する撮影メニュー受付手段１５と、撮影メニュー受付手段１５から出力された撮影メニュー情報に応じて画像処理パラメータ管理装置２０から出力された標準画像処理パラメータを受け付け、該標準画像処理パラメータを画像処理手段１４に出力するパラメータ受付手段１６とを備えている。
【００４５】
放射線画像記録媒体１１は、被写体の画像情報を担持する放射線を検出して被写体に関する放射線画像を表す画像信号を出力するものであれば如何なるものでもよいが、たとえば、記録用の放射線を透過する第１の電極層、放射線の照射を受けることにより導電性を呈する記録用光導電層、潜像電荷に対しては略絶縁体として作用し、かつ潜像電荷と逆極性の輸送電荷に対しては略導電体として作用する電荷輸送層、読取用の電磁波の照射を受けることにより導電性を呈する読取用光導電層、および読取用の電磁波を透過する第２の電極層をこの順に積層してなる放射線画像記録媒体を利用することができる。上記放射線画像記録媒体は、第１の電極層側から記録用の放射線が照射され、照射された放射線の線量に応じた量の電荷が記録用光導電層と電荷輸送層との略界面に形成される蓄電部に蓄積されることにより、放射線画像情報を記録するものである。上記放射線画像記録媒体に記録された放射線画像情報は、スポット光あるいはライン光で放射線画像記録媒体を走査することにより読み出されるが、これらの読取光を走査する機構もケース内１２に設けられている（図示せず）。上記のような直接変換方式の放射線画像記録媒体の他に、放射線が照射されることにより蛍光体から発せられた蛍光を記録用光電層に照射し、該照射された蛍光を光電変換して得た信号電荷を蓄電部に蓄積する間接変換方式の放射線画像記録媒体を利用することができる。また、放射線の照射により導電性を呈する光導電層において発生した電荷をＴＦＴを走査駆動させることにより読み出す方式の放射線画像記録媒体も利用することができる。さらに、上記に説明した蓄積性蛍光体シートも放射線画像記録媒体として利用することができ、この場合、蓄積性蛍光体シートに励起光を照射する励起光照射部と蓄積性蛍光体シートから発せられた蛍光を光電変換する光電変換部もケース１２内に設けられる。
【００４６】
ケース１２は、上面開放の箱形収容部１２ａと該収容部１２ａの上面を覆う開閉可能な蓋部１２ｂとからなる。
【００４７】
画像処理手段１４は、画像メモリ１３に記憶された画像信号に所定の画像処理を施すものであるが、その際使用される画像処理パラメータはパラメータ受付手段１６から出力される。画像処理手段１４において施される処理としては、たとえば、階調処理、周波数処理、ＤＲ圧縮処理、多重解像度強調処理、ノイズ除去処理、グリッド除去処理、ＣＡＤ処理、圧縮処理、およびＥＤＲ処理などがある。これらの画像処理に用いられる画像処理パラメータの詳細については後述する。
【００４８】
画像処理パラメータ管理装置２０は、複数の放射線画像記録媒体１０の画像処理手段１４において施される上記のような画像処理についての標準画像処理パラメータを予めテーブルとして記憶する画像処理パラメータ記憶手段（図示せず）を有するものである。そして、上記テーブルには、図３に示すような、撮影メニューコードに応じた標準画像処理パラメータが設定されている。たとえば、階調処理（特開昭５９−８３１４９号公報など）において用いられる階調処理条件の標準画像処理パラメータとしては、ＧＡ（基準曲線の回転（傾き）変更量）、ＧＴ（基準曲線の種類）、ＧＣ（回転中心）、ＧＳ（平行移動量（濃度シフト量））などが設定され、また、周波数処理（特開昭５５−１６３４７２号公報）において用いられる周波数処理条件の標準画像処理パラメータとしては、ＲＮ（ボケマスクサイズの種類）、ＲＴ（強調度の濃度依存曲線の種類）、ＲＥ（強調度）などが設定されている。なお、これらの画像処理パラメータに限らず、必要に応じて上記のような画像処理で使用する標準画像処理パラメータを設定するようにすることができる。また、画像処理パラメータ管理装置２０は、上記撮影メニューコードを受け付け、該撮影メニューコードに応じた標準画像処理パラメータを放射線画像記録媒体カセッテ１０に出力する撮影メニュー受付手段（図示せず）を有している。
【００４９】
検査情報入力装置３０は、上述したように放射線画像の撮影の際の患者情報（性別、年齢、病名など）や撮影メニュー情報を入力するものである。撮影メニュー情報とは、撮影部位（頭部、胸部、上肢、下肢など）や撮影方法（単純撮影、断層撮影、造影撮影、拡大撮影など）の少なくとも１つまたは組み合せを示す情報であり、検査情報入力装置３０において入力された撮影メニューは撮影メニューコードとして出力される。
【００５０】
画像ファイリング装置４０は、複数の放射線画像記録媒体カセッテ１０に記録された放射線画像に基づく画像信号をそのまま、または所定の画像処理や圧縮処理が施された状態で記憶するものである。
【００５１】
次に、本画像処理パラメータ管理システムの作用について説明する。
【００５２】
まず、検査情報入力装置３０から患者情報や撮影メニュー情報、および該撮影メニュー情報の送信先の放射線画像記録媒体カセッテ１０を示す情報が入力される。そして、入力された撮影メニュー情報は数字からなる撮影メニューコードに変換され、検査情報入力装置３０において入力された送信先の放射線画像記録媒体カセッテ１０に送信される。そして、上記撮影メニューコードは放射線画像記録媒体カセッテ１０における撮影メニュー送信手段１５に入力され、撮影メニュー送信手段１５は、入力された撮影メニューコードを画像処理パラメータ管理装置２０に出力する。なお、上記のように検査情報入力装置３０において撮影メニュー情報から撮影メニューコードへの変換を行うのではなく、検査情報入力装置３０から撮影メニュー情報をＤＩＣＯＭなどの共通規格の形式で出力し、放射線画像記録媒体カセッテ１０において撮影メニューコードに変換するようにしてもよい。また、上記撮影メニューコードが画像処理パラメータ管理装置２０に出力されるとともに、検査情報入力装置３０において入力された送信先の放射線画像記録媒体カセッテ１０を示す情報も画像処理パラメータ管理装置２０に出力される。
【００５３】
そして、上記送信先の放射線画像記録媒体カセッテ１０を示す情報および撮影メニューコードは画像処理パラメータ管理装置２０の撮影メニュー受付手段により受け付けられる。そして、撮影メニュー受付手段は、画像処理パラメータ記憶手段に記憶されている上記撮影メニューコードに応じた標準画像処理パラメータを検出し、この標準画像処理パラメータを上記送信先の放射線画像記録媒体カセッテ１０を示す情報に応じた放射線画像記録媒体カセッテ１０に送信する。そして、上記撮影メニューコードに応じた画像処理パラメータは放射線画像記録媒体カセッテ１０におけるパラメータ受付手段１６により受け付けられ、画像処理手段１４に出力され、設定される。
【００５４】
そして、上記のようにして撮影メニューコードに応じた標準画像処理パラメータが設定された放射線画像記録媒体カセッテ１０を用いて放射線画像の撮影が行なわれる。図４は、放射線画像記録媒体カセッテ１０を用いた放射線画像記録装置の全体構成を被写体と共に示した概略図である。
【００５５】
放射線画像記録装置７０は放射線源７１を有し、放射線源７１から発せられる放射線Ｒが放射線画像記録媒体１１の検出面１１ａに入射するように配置される。被写体７２は、被写体７２の透過放射線画像を担持する放射線Ｒａが放射線画像記録媒体１１の検出面１１ａに入射するよう放射線画像記録媒体カセッテ１０上に配置される。被写体７２の位置が設定された後、放射線源７１から放射線が発せられ、上記検査情報入力装置において入力された撮影メニューで撮影が行われ、撮影によって得られた画像信号は画像メモリ１３に記憶される。そして、画像メモリに記憶された画像信号は画像処理手段１４に出力され、画像処理手段１４において、上記のようにして設定された標準画像処理パラメータにしたがって画像処理が施される。画像処理手段１４において画像処理の施された画像信号は、画像ファイリング装置４０に出力されて記憶されるか、または、フィルム出力装置５０に出力されてフィルムの記録されるか、または、読影端末６０に出力されて可視画像として表示される。
【００５６】
上記実施形態の画像処理パラメータ管理システムによれば、画像処理パラメータ管理装置２０おいて、複数の放射線画像記録媒体カセッテ１０で使用される撮影メニュー情報に応じた標準画像処理パラメータを記憶し、その標準画像処理パラメータを放射線画像記録媒体カセッテ１０に出力するようにしたので、多数の放射線画像記録媒体カセッテ１０を使用する場合においても容易に各放射線画像記録媒体カセッテ１０の画像処理パラメータを変更することができる。
【００５７】
また、上記実施形態においては、複数の放射線画像記録媒体カセッテ１０のうちの撮影に用いられる１つの放射線画像記録媒体カセッテ１０に撮影メニューに応じた標準画像処理パラメータに設定する作用について説明したが、必ずしも１つに限らず、複数の放射線画像記録媒体カセッテ１０について上記撮影メニューに応じた標準画像処理パラメータを同時に設定するようにしてもよい。また、設定される標準画像処理パラメータは必ずしも撮影メニューに応じたものでなくてもよく、複数の放射線画像記録媒体カセッテ１０で使用される標準画像処理パラメータであれば如何なるものでもよい。
【００５８】
また、上記実施形態においては、検査情報入力装置３０において入力された送信先の放射線画像記録媒体カセッテ１０を示す情報に基づいて画像処理パラメータ管理装置２０が標準画像処理パラメータを出力するようにしたが、放射線画像記録媒体カセッテ１０に放射線画像記録媒体毎に設定されたカセッテ識別情報を出力する識別情報出力手段を設け、放射線画像記録媒体１０が撮影メニューコードを受け取った際に、識別情報出力手段から画像処理パラメータ管理装置２０にカセッテ識別情報を出力し、このカセッテ識別情報に基づいて画像処理パラメータ管理装置２０が標準画像処理パラメータを出力するようにしてもよい。
【００５９】
また、上記実施形態においては、画像処理パラメータ管理装置２０に標準画像処理パラメータを記憶するようにしたが、さらに、図５に示すように、放射線画像記録媒体カセッテ１０毎に設定された個別画像処理パラメータを記憶するようにしてもよい。この場合、たとえば、画像処理パラメータ管理装置２０に入力された上記カセッテ識別情報が、放射線画像記録媒体カセッテＡである場合には、画像処理パラメータ管理装置２０に記憶されたカセッテＡの個別画像処理パラメータを検出し、この個別画像処理パラメータの中からさらに入力された撮影メニューに応じた個別画像処理パラメータを検出し、その個別画像処理パラメータを放射線画像記録媒体カセッテＡに出力し、放射線画像記録媒体カセッテＡはこの個別画像処理パラメータに基づいて画像処理を行う。また、入力された撮影メニューに応じた個別画像処理パラメータが検出されなかった場合や、個別画像処理パラメータのテーブル自体が画像処理パラメータ管理装置２０に記憶されていない場合には、その放射線画像記録媒体カセッテ１０については、上記と同様に標準画像処理パラメータの中から撮影メニューに応じた標準画像処理パラメータを出力する。上記のように個別画像処理パラメータを設けることにより、標準画像処理パラメータだけでなく各放射線画像記録媒体カセッテ１０に特有の個別画像処理パラメータについても容易に設定、変更することができる。
【００６０】
また、個別画像処理パラメータについては、上記のように画像処理パラメータ管理装置２０に記憶するのではなく、各放射線画像記録媒体カセッテ１０に個別パラメータ記憶手段を設け、各放射線画像記録媒体カセッテ１０の個別パラメータ記憶手段に上記個別画像処理パラメータを記憶するようにしてもよい。この場合は、まず、撮影メニューコードを受け取った放射線画像記録媒体カセッテ１０は、その撮影メニューコードに応じた個別画像処理パラメータが個別パラメータ記憶手段に記憶されているか否かをパラメータ検索手段（図示せず）により検索し、上記個別画像処理パラメータがパラメータ検索手段により検出された場合には、その検出された個別画像処理パラメータに基づいて画像処理を行うようにし、上記撮影メニューコードに応じた個別画像処理パラメータがパラメータ検出手段により検出されなかった場合には、上記と同様にして画像処理パラメータ管理装置２０から出力された撮影メニューコードに応じた標準画像処理パラメータに基づいて画像処理を行うようにすればよい。
【００６１】
また、上記実施形態においては、撮影メニューコードについては、検査情報入力装置３０から入力し、この検査情報入力装置３０から放射線画像記録媒体カセッテ１０に送信するようにしたが、放射線画像記録媒体カセッテ１０に直接入力するようにしてよい。また、撮影メニューコードは必ずしも、放射線画像記録媒体カセッテ１０から画像処理パラメータ管理装置２０に出力する必要はなく、当該撮影メニューコードの送信先のカセッテを示す情報とともに検査情報入力装置３０から画像処理パラメータ管理装置２０に送信するようにしてもよい。
【図面の簡単な説明】
【図１】本発明の画像処理パラメータ管理システムの一実施形態の概略構成図
【図２】放射線画像記録媒体カセッテの詳細図
【図３】画像処理パラメータ管理装置に記憶された標準画像処理パラメータを説明する図
【図４】放射線画像記録装置の概略構成図
【図５】画像処理パラメータ管理装置に記憶された個別画像処理パラメータを説明する図
【符号の説明】
１０　　放射線画像記録媒体カセッテ
１１　　放射線画像記録媒体
１２　　ケース
１３　　画像メモリ
１４　　画像処理手段
１５　　撮影メニュー送信手段
１６　　パラメータ受付手段
２０　　画像処理パラメータ管理装置
３０　　検査情報入力装置
４０　　画像ファイリング装置
５０　　フィルム出力装置
６０　　読影端末
７０　　放射線画像記録装置
７１　　放射線源
７２　　被写体
【図１】
2004121385.tif 000003
【図２】
2004121385.tif 000004
【図３】
2004121385.tif 000005
【図４】
2004121385.tif 000006
【図５】
2004121385.tif 000007